(57)【特許請求の範囲】
【請求項１】
無線通信システムにおいて動作可能な装置であって、
第１の基地局によって制御される１または複数のセルのための現在のリソース割当を取得し、前記現在のリソース割当が、前記第１の基地局によって制御される１または複数のセルのうちの少なくとも１つを通過するデータ・フローに関連付けられたサービス品質目標を満足しているかを確認し、セル間干渉調整インジケータを第２の基地局へディスパッチするように構成されたプロセッサと、ここにおいて、前記セル間干渉調整インジケータは、密集したデータ・フローの最高優先度レベルが変化した場合には常にトリガされる、
前記プロセッサに接続され、データを保持するためのメモリと
を備え、
前記プロセッサはさらに、前記第２の基地局によってサービス提供されるセルとの干渉を回避するために、前記第２の基地局から受信したセル間干渉調整インジケータを利用して、前記第１の基地局によって制御されるセルへの現在のリソース割当を変更するように構成され、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために適用され、少なくとも前記識別された最高優先度のデータ・フローに基づいて、最高電力レベルでブロードキャストするための最高優先度のデータ・フローを含む、前記セルへの現在のリソース割当を調節するか、または、低電力レベルでブロードキャストするための低優先度のデータ・フローを含む、前記セルへの現在のリソース割当を調節する、装置。
【請求項２】
無線通信システムにおいて動作可能な装置であって、
第１の基地局によって制御される１または複数のセルのための現在のリソース割当を取得し、前記現在のリソース割当が、前記第１の基地局によって制御される１または複数のセルのうちの少なくとも１つを通過するデータ・フローに関連付けられたサービス品質目標を満足しているかを確認し、セル間干渉調整インジケータを第２の基地局へディスパッチするように構成されたプロセッサと、ここにおいて、前記セル間干渉調整インジケータは、密集したデータ・フローの最高優先度レベルが変化した場合には常にトリガされる、
前記プロセッサに接続され、データを保持するためのメモリと
を備え、
前記プロセッサはさらに、前記第２の基地局によってサービス提供されるセルとの干渉を回避するために、前記第２の基地局から受信したセル間干渉調整インジケータを利用して、前記第１の基地局によって制御されるセルへの現在のリソース割当を変更するように構成され、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために利用され、少なくとも前記識別された最高優先度のデータ・フローに基づいて、第１の周波数かつ最高電力レベルでブロードキャストするための最高優先度のデータ・フローを含む、前記セルへの現在のリソース割当を調節するか、または、前記第１の周波数かつ低電力レベルでブロードキャストするための低優先度のデータ・フローを含む、前記セルへの現在のリソース割当を
調節する、装置。
【請求項３】
前記第１の基地局によって制御される１または複数のセルの現在のリソース割当が、前記１または複数のセルのうちの少なくとも１つを通過するデータ・フローに関連付けられたサービス品質目標に少なくとも部分的に基づく、請求項１または請求項２に記載の装置。
【請求項４】
前記プロセッサはさらに、前記１または複数のセルのうちの少なくとも１つに関連付けられた最高優先度のデータ・フローに関連付けられた密集状態が変化した場合、前記セル間干渉調整インジケータを第２の基地局へディスパッチするように構成された請求項１または請求項２に記載の装置。
【請求項５】
前記プロセッサはさらに、前記１または複数のセルのうちの少なくとも１つに関連付けられた物理リソース・ブロック割当が変化した場合、前記セル間干渉調整インジケータを前記第２の基地局へディスパッチするように構成された請求項１または請求項２に記載の装置。
【請求項６】
前記第２の基地局から受信したセル間干渉調整インジケータが、前記第１の基地局によって制御されるセル、または、前記第２の基地局によってサービス提供されるセルのうちの少なくとも１つによって経験されるデータ・フロー密集を緩和するために利用される請求項１または請求項２に記載の装置。
【請求項７】
前記セル間干渉調整インジケータは、前記第１の基地局を前記第２の基地局と接続するＸ２チャネルによって前記第２の基地局へ伝送される請求項１または請求項２に記載の装置。
【請求項８】
前記第１の基地局を前記第２の基地局と接続するＸ２チャネルは、前記第１の基地局と前記第２の基地局との間の近隣関係を定義する請求項７に記載の装置。
【請求項９】
前記プロセッサはさらに、前記セル間干渉調整インジケータを構築するように構成され、前記セル間干渉調整インジケータは、前記第１の基地局によって制御される１または複数のセルのうちの少なくとも１つにおいて、密集状態にあるデータ・フローに関連付けられた少なくとも１つの優先度レベルを伝送するための十分なビットを含む請求項１または請求項２に記載の装置。
【請求項１０】
無線通信システムにおいて利用される方法であって、
第１の基地局によって制御される１または複数のセルから現在のリソース割当を要求することと、
前記現在のリソース割当が、前記第１の基地局によって制御される１または複数のセルのうちの少なくとも１つを通過するデータ・フローに関連付けられたサービス品質目標を満足しているかを確認することと、
セル間干渉調整インジケータを第２の基地局へ配信することと、ここにおいて、前記セル間干渉調整インジケータは、密集したデータ・フローの最高優先度レベルが変化した場合には常にトリガされる、
前記第２の基地局によってサービス提供されるセルとの干渉を回避するために、前記第２の基地局から受信したセル間干渉調整インジケータを利用して、前記第１の基地局によって制御されるセルへの現在のリソース割当を変更することと
を備え、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために適用され、少なくとも前記識別された最高優先度のデータ・フローに基づいて、最高電力レベルでブロードキャストするための最高優先度のデータ・フローを含む、前記セルへの現在のリソース割当を調節するか、または、低電力レベルでブロードキャストするための低優先度のデータ・フローを含む、前記セルへの現在のリソース割当を調節する、方法。
【請求項１１】
無線通信システムにおいて利用される方法であって、
第１の基地局によって制御される１または複数のセルから現在のリソース割当を要求することと、
前記現在のリソース割当が、前記第１の基地局によって制御される１または複数のセルのうちの少なくとも１つを通過するデータ・フローに関連付けられたサービス品質目標を満足しているかを確認することと、
セル間干渉調整インジケータを第２の基地局へ配信することと、ここにおいて、前記セル間干渉調整インジケータは、密集したデータ・フローの最高優先度レベルが変化した場合には常にトリガされる、
前記第２の基地局によってサービス提供されるセルとの干渉を回避するために、前記第２の基地局から受信したセル間干渉調整インジケータを利用して、前記第１の基地局によって制御されるセルへの現在のリソース割当を変更することと
を備え、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために利用され、少なくとも前記識別された最高優先度のデータ・フローに基づいて、第１の周波数かつ最高電力レベルでブロードキャストするための最高優先度のデータ・フローを含む、前記セルへの現在のリソース割当を調節するか、または、前記第１の周波数かつ低電力レベルでブロードキャストするための低優先度のデータ・フローを含む、前記セルへの現在のリソース割当を調節する、方法。
【請求項１２】
前記第１の基地局によって制御される１または複数のセルの現在のリソース割当が、前記１または複数のセルのうちの少なくとも１つを通過するデータ・フローに関連付けられたサービス品質目標に少なくとも部分的に基づく、請求項１０または請求項１１に記載の方法。
【請求項１３】
前記１または複数のセルのうちの少なくとも１つに関連付けられた最高優先度のデータ・フローに関連付けられた密集状態が変化した場合、前記セル間干渉調整インジケータを第２の基地局へ配信することをさらに備える請求項１０または請求項１１に記載の方法。
【請求項１４】
前記１または複数のセルのうちの少なくとも１つに関連付けられた物理リソース・ブロック割当が変化した場合、前記セル間干渉調整インジケータを前記第２の基地局へ送信することをさらに備える請求項１０または請求項１１に記載の方法。
【請求項１５】
前記セル間干渉調整インジケータを第２の基地局へ配信することは、前記第１の基地局を前記第２の基地局と接続するＸ２チャネルを利用することを含む請求項１０または請求項１１に記載の方法。
【請求項１６】
前記セル間干渉調整インジケータを構築することをさらに備え、
前記セル間干渉調整インジケータは、前記第１の基地局によって制御される１または複数のセルのうちの少なくとも１つにおいて、密集状態にあるデータ・フローに関連付けられた少なくとも１つの優先度レベルを伝送するための十分なビットを含む請求項１０または請求項１１に記載の方法。
【請求項１７】
無線通信システムにおいて動作可能な装置であって、
第１の基地局によって制御される１または複数のセルのためのリソース割当を要求することと、前記リソース割当が、前記第１の基地局によって制御される１または複数のセルのうちの少なくとも１つを通過するデータ・フローに関連付けられたサービス品質目標を満足しているかを確認することと、セル間干渉調整インジケータを第２の基地局へディスパッチすることと、に関連する命令群を保持するメモリと、ここにおいて、前記セル間干渉調整インジケータは、密集したデータ・フローの最高優先度レベルが変化した場合には常にトリガされる、
前記メモリに接続され、前記メモリに保持された命令群を実行するように構成されたプロセッサと
を備え、
前記メモリはさらに、前記第２の基地局によってサービス提供されるセルとの干渉を回避するために、前記第２の基地局から受信したセル間干渉調整インジケータを利用して、前記第１の基地局によって制御されるセルへの現在のリソース割当を変更することに関連する命令群を保持し、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために適用され、少なくとも前記識別された最高優先度のデータ・フローに基づいて、最高電力レベルでブロードキャストするための最高優先度のデータ・フローを含む、前記セルへの現在のリソース割当を調節するか、または、低電力レベルでブロードキャストするための低優先度のデータ・フローを含む、前記セルへの現在のリソース割当を調節する、
装置。
【請求項１８】
無線通信システムにおいて動作可能な装置であって、
第１の基地局によって制御される１または複数のセルのためのリソース割当を要求することと、前記リソース割当が、前記第１の基地局によって制御される１または複数のセルのうちの少なくとも１つを通過するデータ・フローに関連付けられたサービス品質目標を満足しているかを確認することと、セル間干渉調整インジケータを第２の基地局へディスパッチすることと、に関連する命令群を保持するメモリと、ここにおいて、前記セル間干渉調整インジケータは、密集したデータ・フローの最高優先度レベルが変化した場合には常にトリガされる、
前記メモリに接続され、前記メモリに保持された命令群を実行するように構成されたプロセッサと
を備え、
前記メモリはさらに、前記第２の基地局によってサービス提供されるセルとの干渉を回避するために、前記第２の基地局から受信したセル間干渉調整インジケータを利用して、前記第１の基地局によって制御されるセルへの現在のリソース割当を変更することに関連する命令群を保持し、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために利用され、少なくとも前記識別された最高優先度のデータ・フローに基づいて、第１の周波数かつ最高電力レベルでブロードキャストするための最高優先度のデータ・フローを含む、前記セルへの現在のリソース割当を調節するか、または、前記第１の周波数かつ低電力レベルでブロードキャストするための低優先度のデータ・フローを含む、前記セルへの現在のリソース割当を調節する、装置。
【請求項１９】
前記第１の基地局によって制御される１または複数のセルのリソース割当が、前記１または複数のセルのうちの少なくとも１つを通過するデータ・フローに関連付けられたサービス品質目標に少なくとも部分的に基づく、請求項１７または請求項１８に記載の装置。
【請求項２０】
前記メモリはさらに、前記１または複数のセルのうちの少なくとも１つに関連付けられた最低優先度のデータ・フローに関連付けられた密集状態が変化した場合、前記セル間干渉調整インジケータを第２の基地局へ配信することに関連する命令群を保持する請求項１７または請求項１８に記載の装置。
【請求項２１】
前記メモリはさらに、前記１または複数のセルのうちの少なくとも１つに関連付けられた物理リソース・ブロック割当が変化した場合、前記セル間干渉調整インジケータを前記第２の基地局へ送信することに関連する命令群を保持する請求項１７または請求項１８に記載の装置。
【請求項２２】
前記セル間干渉調整インジケータを第２の基地局へディスパッチすることは、前記第１の基地局を前記第２の基地局と接続するＸ２チャネルを利用する請求項１７または請求項１８に記載の装置。
【請求項２３】
前記メモリはさらに、前記セル間干渉調整インジケータをアセンブルすることに関連する命令群を保持し、前記セル間干渉調整インジケータは、前記第１の基地局によって制御される１または複数のセルのうちの少なくとも１つにおいて、密集状態にあるデータ・フローに関連付けられた少なくとも１つの優先度レベルを伝送するための十分なビットを含む請求項１７または請求項１８に記載の装置。
【請求項２４】
無線通信システムにおいて動作可能な装置であって、
第１の基地局によって制御される１または複数のセルのための現在のリソース割当を取得する手段と、
前記現在のリソース割当が、前記第１の基地局によって制御される１または複数のセルのうちの少なくとも１つを通過するデータ・フローに関連付けられたサービス品質目標を満足しているかを確認する手段と、
セル間干渉調整インジケータを第２の基地局へディスパッチする手段と、ここにおいて、前記セル間干渉調整インジケータは、密集したデータ・フローの最高優先度レベルが変化した場合には常にトリガされる、
前記第２の基地局によってサービス提供されるセルとの干渉を回避するために、前記第２の基地局から受信したセル間干渉調整インジケータを利用して、前記第１の基地局によって制御されるセルへの現在のリソース割当を変更する手段と
を備え、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために適用され、少なくとも前記識別された最高優先度のデータ・フローに基づいて、最高電力レベルでブロードキャストするための最高優先度のデータ・フローを含む、前記セルへの現在のリソース割当を調節するか、または、低電力レベルでブロードキャストするための低優先度のデータ・フローを含む、前記セルへの現在のリソース割当を調節する、装置。
【請求項２５】
無線通信システムにおいて動作可能な装置であって、
第１の基地局によって制御される１または複数のセルのための現在のリソース割当を取得する手段と、
前記現在のリソース割当が、前記第１の基地局によって制御される１または複数のセルのうちの少なくとも１つを通過するデータ・フローに関連付けられたサービス品質目標を満足しているかを確認する手段と、
セル間干渉調整インジケータを第２の基地局へディスパッチする手段と、ここにおいて、前記セル間干渉調整インジケータは、密集したデータ・フローの最高優先度レベルが変化した場合には常にトリガされる、
前記第２の基地局によってサービス提供されるセルとの干渉を回避するために、前記第２の基地局から受信したセル間干渉調整インジケータを利用して、前記第１の基地局によって制御されるセルへの現在のリソース割当を変更する手段と
を備え、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために利用され、少なくとも前記識別された最高優先度のデータ・フローに基づいて、第１の周波数かつ最高電力レベルでブロードキャストするための最高優先度のデータ・フローを含む、前記セルへの現在のリソース割当を調節するか、または、前記第１の周波数かつ低電力レベルでブロードキャストするための低優先度のデータ・フローを含む、前記セルへの現在のリソース割当を調節する、装置。
【請求項２６】
前記第１の基地局によって制御される１または複数のセルの現在のリソース割当が、前記１または複数のセルのうちの少なくとも１つを通過するデータ・フローに関連付けられたサービス品質目標に少なくとも部分的に基づく、請求項２４または請求項２５に記載の装置。
【請求項２７】
前記ディスパッチする手段は、前記１または複数のセルのうちの少なくとも１つに関連付けられた最高優先度のデータ・フローに関連付けられた密集状態が変化した場合、前記セル間干渉調整インジケータを前記第２の基地局へ伝送する請求項２４または請求項２５に記載の装置。
【請求項２８】
前記ディスパッチする手段は、前記１または複数のセルのうちの少なくとも１つに関連付けられた物理リソース・ブロック割当が変化した場合、前記セル間干渉調整インジケータを前記第２の基地局へ通信する請求項２４または請求項２５に記載の装置。
【請求項２９】
前記ディスパッチする手段は、前記セル間干渉調整インジケータを前記第２の基地局へ送るために、前記第１の基地局を前記第２の基地局へ接続するＸ２チャネルを利用する請求項２４または請求項２５に記載の装置。
【請求項３０】
コンピュータ読取可能な記録媒体あって、
第１の基地局によって制御される１または複数のセルのための現在のリソース割当を取得するためのコードと、
前記現在のリソース割当が、前記第１の基地局によって制御される１または複数のセルのうちの少なくとも１つを通過するデータ・フローに関連付けられたサービス品質目標を満足しているかを確認するためのコードと、
セル間干渉調整インジケータを第２の基地局へ通信するためのコードと、ここにおいて、前記セル間干渉調整インジケータは、密集したデータ・フローの最高優先度レベルが変化した場合には常にトリガされる、
前記第２の基地局によってサービス提供されるセルとの干渉を回避するために、前記第２の基地局から受信したセル間干渉調整インジケータを利用して、前記第１の基地局によって制御されるセルへの現在のリソース割当を変更するためのコードと
を記録し、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために適用され、少なくとも前記識別された最高優先度のデータ・フローに基づいて、最高電力レベルでブロードキャストするための最高優先度のデータ・フローを含む、前記セルへの現在のリソース割当を調節するか、または、低電力レベルでブロードキャストするための低優先度のデータ・フローを含む、前記セルへの現在のリソース割当を調節する、コンピュータ読取可能な記録媒体。
【請求項３１】
コンピュータ読取可能な記録媒体あって、
第１の基地局によって制御される１または複数のセルのための現在のリソース割当を取得するためのコードと、
前記現在のリソース割当が、前記第１の基地局によって制御される１または複数のセルのうちの少なくとも１つを通過するデータ・フローに関連付けられたサービス品質目標を満足しているかを確認するためのコードと、
セル間干渉調整インジケータを第２の基地局へ通信するためのコードと、ここにおいて、前記セル間干渉調整インジケータは、密集したデータ・フローの最高優先度レベルが変化した場合には常にトリガされる、
前記第２の基地局によってサービス提供されるセルとの干渉を回避するために、前記第２の基地局から受信したセル間干渉調整インジケータを利用して、前記第１の基地局によって制御されるセルへの現在のリソース割当を変更するためのコードと
を記録し、
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために利用され、少なくとも前記識別された最高優先度のデータ・フローに基づいて、第１の周波数かつ最高電力レベルでブロードキャストするための最高優先度のデータ・フローを含む、前記セルへの現在のリソース割当を調節するか、または、前記第１の周波数かつ低電力レベルでブロードキャストするための低優先度のデータ・フローを含む、前記セルへの現在のリソース割当を調節する、コンピュータ読取可能な記録媒体。
【請求項３２】
前記第１の基地局によって制御される１または複数のセルの現在のリソース割当が、前記１または複数のセルのうちの少なくとも１つを通過するデータ・フローに関連付けられたサービス品質目標に少なくとも部分的に基づく、請求項３０または請求項３１に記載のコンピュータ読取可能な記録媒体。
【請求項３３】
前記通信するためのコードはさらに、前記１または複数のセルのうちの少なくとも１つに関連付けられた最高優先度のデータ・フローに関連付けられた密集状態が変化した場合、前記セル間干渉調整インジケータを第２の基地局へ伝送するためのコードを備える請求項３０または請求項３１に記載のコンピュータ読取可能な記録媒体。
【請求項３４】
前記通信するためのコードはさらに、前記１または複数のセルのうちの少なくとも１つに関連付けられた物理リソース・ブロック割当が変化した場合、前記セル間干渉調整インジケータを前記第２の基地局へ送信するためのコードを備える請求項３０または請求項３１に記載のコンピュータ読取可能な記録媒体。
【請求項３５】
前記通信するためのコードはさらに、前記セル間干渉調整インジケータを前記第２の基地局へ送るために、前記第１の基地局を前記第２の基地局へ接続するＸ２チャネルを利用するためのコードを備える請求項３０または請求項３１に記載のコンピュータ読取可能な記録媒体。
【発明の詳細な説明】
【優先権主張】
【０００１】
本願は、本明細書において参照によって明確に組み込まれ、本願の譲受人に譲渡され、 “ＭＥＴＨＯＤ  ＡＮＤ  ＡＰＰＡＲＡＴＵＳ  ＦＯＲ  ＦＵＬＬ  ＱｏＳ  ＩＮ  Ａ  ＷＩＲＥＬＥＳＳ  ＣＯＭＭＵＮＩＣＡＴＩＯＮ  ＳＹＳＴＥＭ”と題された仮出願６１／０４８，９０５号の優先権を主張する。
【技術分野】
【０００２】
以下の記載は、一般に無線通信に関し、さらに詳しくは、無線通信システム内の複数の基地局にわたるサービス品質（ＱｏＳ）区別および／または優先度付けを可能にする方法およびシステムに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効通信範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００８】
近年、ユーザは、固定線通信をモバイル・通信に代え、高い音声品質、信頼できるサービス、および低価格に対し、多大な要求をし始めている。
【０００９】
現在使用されているモバイル電話ネットワークに加えて、新たに、小さなクラスの基地局が出現している。これは、ユーザの家庭やオフィスに据え付けられ、既存のブロードバンド・インターネット接続を用いて、モバイル・ユニットに対して屋内無線通信有効範囲を提供する。そのような個人的な小規模の基地局は、一般に、アクセス・ポイント基地局、あるいは、ホーム・ノードＢ（ＨＮＢ）またはフェムトセルとして知られている。一般に、そのような小規模の基地局は、ＤＳＬルータあるいはケーブル・モデムによって、インターネットおよびモバイル・オペレータのネットワークに接続される。
【発明の概要】
【００１０】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１１】
１または複数の実施形態およびその対応する説明によれば、さまざまな態様が、無線通信ネットワーク内に位置する複数の基地局にわたるサービス品質（ＱｏＳ）区別および／または優先度付けを有効および／または容易にすることに関して記載される。権利主張される主題は、基地局（またはセル）と協調して、ネットワーク・ワイドのサービス品質（ＱｏＳ）目標を達成するための情報シグナリング・メカニズムからなる。基地局によって制御またはサービス提供されるセルにわたる各構成フローのサービス品質（ＱｏＳ）ステータスに基づいて、集合セル（aggregate cell）のデータ密集の概念が定義される。構成フローについて既に存在するサービス品質（ＱｏＳ）優先度レベルに基づいて、この集合密集状態（aggregate congestion state）に、集合セル優先度が関連付けられる。この密集情報は、セル間で渡されるか、あるいは、セルを制御するかまたはセルにサービス提供する基地局間で渡される。このメッセージングは、セルのサービス品質（ＱｏＳ）要求、および、検知されたローカル・ネットワーク環境に基づいてトリガされる。集合セルのフローのサービス品質（ＱｏＳ）ステータスに基づくセル密集概念は、ネットワーク全体のリソース使用の調整、および、ネットワークに渡る公平なサービス品質（ＱｏＳ）フロー挙動の達成のために、セルを制御している各基地局、または、セルにサービス提供している各基地局によって、分散方式で利用されうる。
【００１２】
本明細書に記載されたさまざまな態様にしたがい権利主張される主題は、無線通信システムにおいて動作可能な装置を提供する。ここで、この装置は、プロセッサと、このプロセッサに接続され、データを保持するためのメモリとを備える。このプロセッサは、第１の基地局によって制御される１または複数のセルの現在のリソース割当を取得し、現在のリソース割当が、第１の基地局によって制御されている１または複数のセルのうちの少なくとも１つを横切るデータ・フローに関連付けられたサービス品質目標を満足するかを確認し、セル間干渉調整インジケータを第２の基地局へディスパッチするように構成される。
【００１３】
さらに、さらなる態様にしたがい権利主張される主題は、無線通信システムにおいて利用されるさまざまな方法を提供する。この方法は、第１の基地局によって制御されているセルに対して、現在のリソース割当を要求することと、現在のリソース割当が、第１の基地局によって制御されているセルのうちの少なくとも１つを横切るデータ・フローに関連付けられたサービス品質目標を満足するか否かを確認することと、セル間干渉調整インジケータを第２の基地局へ配信することと、からなる各動作を備える。
【００１４】
さらに、本明細書に記載されたさらなる態様にしたがい権利主張される主題はまた、無線通信システムにおいて動作可能な装置を提供する。この装置は、命令群を保持するメモリと、このメモリに接続され、このメモリに保持された命令群を実行するように構成されたプロセッサとを含む。このメモリは、第１の基地局によって制御されるセルのリソース割当を取得することと、このリソース割当が、第１の基地局によって制御されているセルを横切るデータ・フローに関連付けられたサービス品質目標を満足するかを確認することと、その後に、または、それと同時に、セル間干渉調整インジケータを第２の基地局へディスパッチすることと、に関連する命令群を保持する。
【００１５】
さらに、本明細書に記載されたさらなる態様によれば、権利主張される主題は、無線通信システムにおいて動作可能な装置を提供する。この装置は、第１の基地局によって制御されるセルの現在のリソース割当を取得する手段と、現在のリソース割当が、第１の基地局によって制御されている１または複数のセルのうちの少なくとも１つを横切るデータ・フローに関連付けられたサービス品質目標を満足するか否かを確認する手段と、セル間干渉調整インジケータを、近隣または隣接の基地局へディスパッチする手段と、を含む。
【００１６】
さらに、本明細書で説明されるさらなる態様によれば、権利主張される主題はまた、コンピュータ・プログラム製品を提供する。このコンピュータ・プログラム製品は、第１の基地局によって制御されるセルの現在のリソース割当を取得するためのコードと、このリソース割当が、第１の基地局によって制御されるセルを横切るデータ・フローに関連付けられたサービス品質目標を満足するかを確認するためのコードと、セル間干渉調整インジケータを、近隣の基地局へ通信するためのコードと、を備える。
【００１７】
前述した目的および関連する目的を達成するために、１または複数の実施形態は、後に十分に記載され、特許請求の範囲において特に指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００１８】
【図１】図１は、本明細書に記載されたさまざまな態様にしたがう無線通信システムの実例である。
【図２】図２は、無線通信環境に位置する複数の基地局にわたるサービス品質（ＱｏＳ）区別および／または優先度付けを有効にするシステムの実例である。
【図３】図３は、無線通信環境に位置する複数の基地局にわたるサービス品質（ＱｏＳ）区別および／または優先度付けを有効にするシステムの実例である。
【図４】図４は、無線通信環境に位置する複数の基地局にわたるサービス品質（ＱｏＳ）区別および／または優先度付けを有効にするシステムの実例である。
【図５】図５は、権利主張される主題の態様にしたがって、１または複数の近隣基地局にわたるサービス品質（ＱｏＳ）区別および／または優先度付けを容易にする方法を例示する。
【図６】図６は、権利主張される主題の態様にしたがって、１または複数の近隣基地局にわたるサービス品質（ＱｏＳ）区別および／または優先度付けを容易にする方法を例示する。
【図７】図７は、権利主張される主題の態様にしたがって、１または複数の近隣の基地局にわたるサービス品質（ＱｏＳ）区別および／または優先度付けを容易にする方法を例示する。
【図８】図８は、無線通信環境内に位置する複数の基地局にわたるサービス品質（ＱｏＳ）区別および／または優先度付けを容易にするシステムの実例である。
【図９】図９は、本明細書で開示されたさまざまなシステムおよび方法と共に適用されうる無線ネットワーク環境の実例である。
【図１０】図１０は、無線通信環境における１または複数の近隣の基地局にわたるサービス品質（ＱｏＳ）区別および／または優先度付けの利用を可能にするシステムの実例である。
【図１１】図１１は、無線通信環境における１または複数の近隣の基地局にわたるサービス（ＱｏＳ）区別および／または優先度付けの利用を可能にするシステムの実例である。
【発明を実施するための形態】
【００１９】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２０】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
さらに、さまざまな実施形態は、本明細書において、アクセス端末に関して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末と通信するために利用することができ、アクセス・ポイント、ノードＢ、イボルブド・ノードＢ（ｅＮｏｄｅＢ）、あるいはその他のいくつかの用語で称されうる。
【００２４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２５】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２６】
基地局１０２は、アクセス端末１１６およびアクセス端末１２２のような１または複数アクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００２８】
権利主張される主題の広範囲な議論および説明に移る前に、限定することなく、または、一般性を失うことなく、権利主張される主題は、複数の基地局にわたるサービス品質（ＱｏＳ）区別および／または優先度付けのダウンリンクの局面に関して説明されているが、等価な能力および／または機能を持つ権利主張される主題が、複数の基地局にわたるサービス品質（ＱｏＳ）区別および／または優先度付けのアップリンクの類似物に対する応用も持ちうることが注目されるべきである。
【００２９】
セル・エッジ・ユーザは、近隣のセルからの干渉電力が低減されることから、著しく利益を得ることができる。したがって、基地局またはｅノードＢ間での協調がある場合、セル・リソース利用の効率が高められ、物理リソース・ブロック（ＰＲＢ）間の電力利用が調整される。権利主張される主題によって適用されるようなセル間干渉調整（ＩＣＩＣ： inter cell interference coordination）シグナリングを利用することによって、この種の調整を達成するメカニズムが生成される。その結果、伝送および／または受信された伝送を正しく調整するセルのグループは、全体的なリソース効率において各セルに対して利益をもたらし、もって、特定の相対的なサービス品質（ＱｏＳ）ステータスが必ずしも共有されていない場合であっても、そのような価値のあるスキームをもたらす。
【００３０】
しかしながら、前述した効率の向上に加えて、また、サービス品質（ＱｏＳ）ステータス情報を共有することによって、セル間でサービス品質（ＱｏＳ）要求を平準化することも可能となる。このサービス品質（ＱｏＳ）情報は、セル全体の密集度（例えば、アップロード（ＵＬ）密集度およびダウンロード（ＤＬ）密集度）に少なくとも部分的に基づき、密集したラジオ・ベアラまたはデータ・フローの優先度を考慮すべきである。これによって、セル間にわたる相対的なサービス品質（ＱｏＳ）優先度に基づくリソース割当トレードオフが可能となる。
【００３１】
本明細書に記載されたさまざまな態様にしたがって権利主張される主題は、セル間干渉調整（ＩＣＩＣ）インジケータにビット・フィールドを追加する。このビット・フィールドは、セル内で現在密集している最高優先度のラジオ・ベアラまたはフローを定義する。ここで、密集状態は、一般に、所与のラジオ・ベアラまたはデータ・フローのサービス品質（ＱｏＳ）目標（例えば、遅延、保証ビット・レート）のうちの１つが満足されていない場合に生じうる。セル間干渉調整（ＩＣＩＣ）インジケータに追加されるビット数は、ちょうど１つの優先度レベルのために必要とされるものと類似しうる。例えば、セル間干渉調整（ＩＣＩＣ）インジケータに追加されるビット数は、少なくとも１つの３ＧＰＰ  Ｒｅｌ．８サービス品質優先度（ＱｏＳ）数を符号化するために必要なビット数でありうる。さらに、フローのどのラジオ・ベアラも現在密集していないことを示す１つの予約ビットが存在しうる。一般に、セル間干渉調整（ＩＣＩＣ）インジケータは、密集したラジオ・ベアラまたはフローの最高優先度レベルが変化した場合には常にトリガされる。あるいは、サービス品質（ＱｏＳ）の考慮に直接的に基づかないよう定義されうる他のトリガに加えて、物理リソース・ブロック（ＰＢＲ）毎のビット・パターンが調節された場合にもトリガされうる。
【００３２】
図２は、複数の基地局（２０１１，・・・，２０２Ｚ、ここでＺは、ゼロより大きな整数を示す）にわたるサービス品質（ＱｏＳ）区別および／または優先度付けを容易および／または有効にするシステム２００の例示を提供する。ここで、複数の基地局（２０１１，・・・，２０２Ｚ）のおのおのは、互いに近接しており、おのおのの基地局によって制御またはサービス提供されるセルは、送信動作フェーズおよび／または受信動作フェーズ中、近隣によって制御またはサービス提供されているセルに対して干渉を引き起こす。さらに、図示するように、基地局（２０２１、・・・、２０２Ｚ）は、例えばセル２０４１（例えば、セルＡ１、Ｂ１、Ｃ１）およびセル２０４Ｚ（例えば、ＡＺ、ＢＺ、ＣＺ）のような１または複数のセルを制御するか、サービス提供する。限定することなく、また、一般性を失うことなく、基地局２０２１および／または基地局２０２Ｚのおのおのによって３つのセルしか制御されていないように示されているが、それよりも多い数または少ない数のセルが、対応する基地局によって制御またはサービス提供されうることが注目されるべきである。それに加えて、１または複数のセル２０４１および／または１または複数のセル２０４Ｚのおのおのが、さらなるセルを備えた１または複数のセクタに分割されうることが注目されるべきである。基地局２０２１、・・・、基地局２０２Ｚは、情報、信号、データ、命令群、コマンド、ビット、シンボル等の送信および／または受信を行いうる。また、本明細書で利用されている基地局という用語は、その他いくつかの専門用語で称されるように、アクセス・ポイント、ノードＢ、イボルブド・ノードＢ（例えば、ｅノードＢ、ｅＮＢ）と称することもできることが認識されるべきである。さらに、図示していないが、基地局２０２１、・・・、基地局２０２Ｚは、１または複数のアクセス端末またはユーザ機器と、連続的および／または断続的に情報交換または通信しうることが認識されるべきである。さらに、図示していないが、限定することも、また、一般性を失うこともなく、基地局２０２１、・・・、基地局２０２Ｚは実質的に類似しうることがさらに認識されるべきである。例示によれば、システム２００は、ロング・ターム・イボリューション（ＬＴＥ）ベースのシステムになり得る。しかしながら、権利主張される主題は、必ずしもそれに限定される必要はない。
【００３３】
互いに協調するように例示されている基地局２０２１、・・・、２０２Ｚは、物理リソース・ブロック間での電力利用量を調整することによって、効率を向上し、セル間干渉を緩和する。そのような調整は、セル間干渉調整（ＩＣＩＣ）シグナリングを利用することによって達成されうる。ここでは、それぞれのセル（例えば２０４１，・・・，２０４Ｚ）を制御しているおのおのの基地局２０２１，・・・，２０２Ｚが、サービス品質（ＱｏＳ）ステータス情報を共有することによって、セル２０２１，・・・，２０２Ｚにわたるサービス品質（ＱｏＳ）要件を平準化することのみならず、リソース効率全体を向上させるようにして、互いの動作（例えば、伝送および／または受信された伝送）を調整できるように互いに情報交換または通信しうる。
【００３４】
現在、ロング・ターム・イボリューション（ＬＴＥ）ベースのシステムは、Ｘ２チャネルの概念を持っている。ここでは、基地局２０２１，・・・，２０２Ｚは、関連付けられたＸ２インタフェースによって互いに接続されうる。しかしながら、ロング・ターム・イボリューション（ＬＴＥ）規格によって概念化された移動メカニズムは、ロング・ターム・イボリューション（ＬＴＥ）ラジオ・アクセス・ネットワーク（ＲＡＮ）にアンカ・ポイントを含んでいないので、Ｘ２チャネル／インタフェースは、一般に、隣接セルまたは近接セルを有する基地局（２０２１，・・・，２０２Ｚ）間でのみ使用されうる。それにもかかわらず、Ｘ２チャネル／インタフェースは、第１の基地局（例えば２０２１）と第２の基地局（例えば２０２Ｚ）との間に直接的な接続を提供しうる。ここでは、第１の基地局（例えば２０２１）が、基地局２０２Ｚによって制御またはサービス提供されている１または複数のセル（例えばＡ１、Ｂ１、Ｃ１）を制御するか、またはこれら複数のセルに対してサービス提供する。これによって、セル２０４１またはセル２０４Ｚのうちの１または複数の間の隣接関係が、セル間干渉を引き起こす。例えば、基地局２０２１によって制御されるセルＣ１は、基地局２０２Ｚによって制御されるセルＡＺと隣接または接触し、セルＡＺへの伝送、および／または、セルＡＺから受信した伝送と干渉しうる。
【００３５】
現在まで、アクセス端末またはユーザ機器は、基地局（例えば、基地局２０２１，・・・，２０２Ｚ）によって制御またはサービス提供されるセル（例えば２０４１，・・・，２０４Ｚ）の範囲内に来た場合、一般に、信号品質に少なくとも部分的に基づいて単一のセルに割り当てられるので、セル内ベース（例えば、同じ基地局によって制御されるセル内）でサービス品質（ＱｏＳ）メトリックを利用する試みに成功する。そのような試みの成功の中心は、スケジューラの役割である。スケジューラは、一般に、ボイス・オーバ・インターネット・プロトコル（ＶｏＩＰ）、ビデオ、ベスト・エフォート、ハイパーテキスト・トランスファー・プロトコル（ＨＴＴＰ）等へ割り当てられたリソースを制御する。さらに、スケジューラは、一般に、サービス品質（ＱｏＳ）制約を被るフローの設定および取扱い（例えば、特定のリソースに割り当てられた特定のフローによって受信されたサービス品質（ＱｏＳ）の品質を管理すること）等を担当する。しかしながら、異なる、すなわち、別のまたは異なる基地局（例えば、基地局２０２１，・・・，２０２Ｚ）によって制御されるセル（例えば、２０４１，・・・，２０４Ｚ）が、互いに対する干渉をもたらすことにより、互いに影響を与えるという点において、セル間またはセルにわたる固有の接続がなされ、それが常に存在している。
【００３６】
現在、セル内を中心に考えることに関する重要な動作原型であることを仮定すると、異なるすなわち別の基地局によってサービス提供または制御されるセル間の干渉と、その結果生じる両干渉セル（例えば、セルＣ１およびＡＺ）に関連付けられたフローに対するサービス品質（ＱｏＳ）の低下は、やはり、見逃すことも、割り引くことも、軽視することもできない。このセル内を中心に考えることは、以下のように例示されうる。ここでは、セルＣ１に関連付けられたフローによって経験される低下したサービス品質（ＱｏＳ）を認識している基地局２０２１が、セルＣ１内のフローと、低下に対する主体とが、サービス品質（ＱｏＳ）目標を達成することを保証するために、リソース割当およびスケジューリング・スキームを有効にする。一方、基地局２０２Ｚは、セルＡＺに関連付けられたフローが、それらのサービス品質（ＱｏＳ）ゴールを実現することを保証するために、その他の可能性のある調和の取れていないリソース割当と、スケジューリング・パラダイムとを実施しうる。
【００３７】
しかしながら、当業者によって認識されるように、それぞれ制御されたセルのおのおのを通過するデータ・フロー（および／または、影響するデータ・フロー）に関連付けられたローカルなサービス品質（ＱｏＳ）目標を保証するために、それぞれ、個々の、および独立した技術における基地局２０２１および基地局２０２Ｚのおのおのによって実現されるリソース割当および／またはスケジューリング・スキームは、互いの干渉を引き起こす。あるいは、より簡潔に述べると、それぞれ制御されたデータ・フローに関連付けられたローカルなサービス品質（ＱｏＳ）目標を制御および最大化するために、独立した技術における基地局２０２１および基地局２０２Ｚのおのおのは、他方に対する相互的な干渉を引き起こす。したがって、無線セルラ・システムにわたって品質サービス（ＱｏＳ）メトリックがいつおよび／またはどのようにして適用されるべきか、特に、別のまたは異なる基地局（例えば、基地局２０２１および基地局２０２Ｚ）によって制御またはサービス提供される近隣セル（例えば、Ｃ１およびＡＺ）に関して品質サービス（ＱｏＳ）メトリックがいつおよび／またはどのようにして適用されるべきかを制御するメカニズムは、今のところ存在しない。
【００３８】
図２に例示されるような権利主張される主題は、セルを中心とする品質サービス（ＱｏＳ）メカニズムではなく、ネットワーク・ワイドな品質サービス（ＱｏＳ）メカニズムを提供する。限定することも、一般性を失うこともなく、権利主張される主題は、現在のセルを中心とするサービス品質（ＱｏＳ）メカニズムに取って代わるものではなく、現在のサービス品質（ＱｏＳ）メカニズムに対して付加機能を追加または提供し、これによって、基地局（例えば、基地局２０２１，・・・，２０２Ｚ）は、干渉しているセルが他の隣接した基地局によって制御されるセル間／セルにわたる干渉を低減または緩和する方式で、リソース割当および／またはスケジューリング・スキームを調整しうることが注目されるべきである。
【００３９】
権利主張される主題を実施することにより、干渉回避による効果的な改善が得られる。例えばセルＣ１によって提供されるさまざまなタスクまたはフローに関連付けられたサービス品質（ＱｏＳ）ターゲットの支援の下、セルＣ１に関し、基地局２０２１によって実施されるリソース割当および／またはスケジューリング・ポリシーは、セルＡＺによってディスパッチされているさまざまなタスクまたはフローに関連付けられたサービス品質（ＱｏＳ）目標を妨げることが無いように選択されうる。ここで、セルＡＺは、別の基地局（例えば、基地局２０２Ｚ）によって制御される。干渉回避によってそのような効果的な利点を得るために、セルＡＺに対するセル間／セルにわたる干渉を低減する基地局２０２１は、セルＡＺ内のサービス品質（ＱｏＳ）目標を満足するフローのスループットに悪影響をもたらさないセルＣ１によって使用されるリソース割当および／またはスケジューリング・ポリシーを識別しうる。同様に、基地局２０２１によって制御またはサービスされるセルＣ１へのセル間干渉を低減している基地局２０２Ｚは、セルＣ１にわたるサービス提供または制御を行う基地局２０２１によって採用されているリソース割当および／またはスケジューリング・ポリシーと相補的または一致している、セルＡＺにおいて使用されているスケジューリング・ポリシーおよびリソース割当を採用しうる。したがって、例えば基地局２０２１は、第１の周波数でブロードキャストされるべきであるセルＣ１における特定の高優先度フローのためのサービス品質（ＱｏＳ）ターゲットを満足または超えるために、それを決定しうる。第２の、干渉していない周波数でブロードキャストするために、セルＡＺに関連付けられたフローは、セルＣ１で実行されているものと同じ優先度レベルに上がることはないので、セルＣ１内でディスパッチされている高優先度のフローと、この高優先度のフローに関連付けられたサービス品質（ＱｏＳ）目標を満足するための基地局２０２１の試みとを認識している基地局２０２Ｚが、それを決定しうる。したがって、セル間干渉インジケータによって互いに協調している基地局２０２１および基地局２０２Ｚによって、相互に合意される干渉のないブロードキャスト周波数パターン干渉回避（例えば、Ｃ１が第１の周波数でブロードキャストし、ＡＺが第２の、干渉のない周波数でブロードキャストする）が有効とされうる。
【００４０】
さらに、権利主張される主題によって利用されるような干渉回避メカニズムは、近隣基地局に関する、すなわち、近隣基地局に対するアクセス端末またはユーザ機器の場所を示すインジケーションを与える。例えば、ユーザ機器が現在、基地局２０２１によって制御またはサービス提供されているセルに関連付けられているのであれば、基地局２０２１および／または基地局２０２Ｚのおのおのによって採用および／または有効とされた干渉回避メカニズムが、基地局２０２１および／または基地局２０２Ｚのおのおのに対するユーザ機器の場所に関する相対位置情報を提供しうる。しかしながら、一般的なベースにおける干渉回避の実施は、通常、すべてのユーザ機器に対して望ましい訳ではないが、近隣の基地局およびこれら基地局によって制御されているセルからの干渉（傍流の干渉であっても）を被っているユーザ機器にとっては都合が良いことが認識されるべきである。
【００４１】
図３に移って、複数の基地局にわたるサービス品質（ＱｏＳ）区別および／または優先度付けを容易および／または有効にするシステム３００が例示される。ここでは、複数の基地局のおのおのが、互いに隣接関係を持っており、これによって、各基地局、あるいは、各基地局によってサービス提供または制御されているセルのうちの１または複数が、送信動作フェーズまたは受信動作フェーズ中に、近隣に関連付けられた１または複数のセルに対する干渉を引きこしうる。図示するように、システム３００は、第１の基地局３０２と第２の基地局３０６とを含み得る。これらは、Ｘ２チャネル３０４によって連続的にまたは断続的に通信しうる。上述したように、Ｘ２チャネル３０４は、第１の基地局３０２と第２の基地局３０４との間に直接的な接続を提供する。ここでは、第１の基地局３０２は、第２の基地局３０６によって制御またはサービス提供されている１または複数のセルと隣接関係を有する１または複数のセルに対し、制御またはサービス提供を行う。これによって、第１の基地局３０２によって制御またはサービス提供されるセルのうちの１または複数の間の隣接関係が、第２の基地局３０６によって制御またはサービス提供されるセルのうちの１または複数に対して、セル間干渉をもたらすか、あるいは、第２の基地局３０６によって制御またはサービス提供される１または複数のセル間の隣接関係が、第１の基地局３０２によって制御またはサービス提供される１または複数のセルに対して、干渉をもたらすようになる。当業者によって認識されるように、Ｘ２チャネル３０４は、第１の基地局３０２と第２の基地局３０６とのおのおのに関連付けられた（図示しない）それぞれのＸ２インタフェースへ接続されうる。
【００４２】
権利主張される主題の態様によれば、Ｘ２チャネル３０４は、第１の基地局３０２と第２の基地局３０６のおのおのが、それぞれが制御またはサービス提供している１または複数のセルに関する状態情報を交換することを可能にするシグナリング・メカニズムを、第１の基地局３０２と第２の基地局３０６との間に提供するために適用されうる。ここで、この状態情報は、密集状態を被っている１または複数のセルに関連しており、セル間干渉調整インジケータの形式で通信される。さらに、Ｘ２チャネル３０４はまた、第１の基地局３０２と第２の基地局３０６との間で通信されるセル間調整インジケータに含まれる優先度データ（例えば、フローに関連付けられた現在の優先度レベルや、将来のフローに関連付けられた予期されるレベル）を伝送するためにも適用されうる。
【００４３】
第１の基地局３０２と第２の基地局３０６との間のシグナリング・メカニズムの能力および／または機能を提供するために、別の実装ストラテジが適用されうる。１つのストラテジによれば、集中的なメカニズムが適用されうる。ここでは、第１の基地局３０２と第２の基地局３０６とのおのおのによって制御またはサービス提供されるセル間の、セルにわたる干渉を緩和または回避するために、単一のシステム・ワイドなエンティティが、第１の基地局３０２および第２の基地局３０６のおのおのによって利用されるべきリソース割当ポリシーおよびスケジューリング・ポリシーを調整する。第１の基地局３０２および／または第２の基地局３０６のおのおのによってサービス提供または制御されるセル間での干渉の影響を改善するために、代替および／または追加のストラテジ、および、ロング・ターム・イボリューション（ＬＴＥ）規格に記載される基本原理により良く適合することは、分散された、すなわち、集中化されていないメカニズムを適用することである。ここでは、参加しているおのおのの基地局（例えば、近隣の第１の基地局３０２および／または第２の基地局３０６）が、Ｘ２チャネル３０４によって提供または受信されるセル間干渉調整インジケータに含まれる状態情報および／または優先度情報を利用する。当業者によって認識されるだろうが、そのような分散された、すなわち、集中化されていないメカニズムは、隣接または近隣の各基地局と、関連付けられたセルとに、ピア・トゥ・ピア関係を与える。ここでは、分散された、すなわち、集中化されていないメカニズムについて、必ずしも単一の基地局またはセルが、全体的な制御を行う必要はない。
【００４４】
したがって、前述を考慮して、第１の基地局３０２は、スケジューラ構成要素３０８を含み得る。スケジューラ構成要素３０８は、１または複数のスケジューリング・パラダイム（例えば、ファースト・カム−ファースト・サービス（first-come first served）、チャネル依存スケジューリング、ラウンド・ロビン、最大−最小公平スケジューリング、比例的公平スケジューリング、重み付け公平キュー、最大スループット）を利用し、第１の基地局３０２によって制御またはサービス提供されている１または複数のセルからディスパッチされている１または複数のデータ・フローに関連付けられたサービス品質（ＱｏＳ）ターゲットを考慮して、可能な限り効率的なリソース利用を達成するために、利用可能なラジオ・リソースをどのようにして共有すべきかを確認する。スケジューラ構成要素３０８はさらに、第１の基地局３０２によって制御またはサービス提供されているセル内で目下密集しているラジオ・ベアラまたは最高優先度のフローに関するインジケーションを提供しうる。密集状態は一般に、密集したフローのサービス品質（ＱｏＳ）目標のうちのいずれか１つ（例えば、遅延、保証ビット・レート）が満たされない場合に、セル内で生じうる。したがって、サービス品質（ＱｏＳ）目標を満足するためにデータ・フローをスケジュールすることに加えて、スケジューラ構成要素３０８はまた、それぞれのサービス品質（ＱｏＳ）目標に適合しないデータ・フローに関連付けられた密集メトリックを提供し、さらに、これらデータ・フローから、任意の時間において、最悪の密集を被っている最高優先度のデータ・フロー（例えば、それぞれのサービス品質（ＱｏＳ）目標を満足しない最高優先度のデータ・フロー）を識別しうる。
【００４５】
一般的なものとして、スケジューラ構成要素３０８は、同じ基地局によって制御またはサービス提供されるセル間のセル干渉を緩和または回避するリソース割当を有効にしうる。例えば、図２に戻って、基地局２０２１に含まれるスケジューラ構成要素３０８は、基地局２０２１によって制御またはサービス提供されるセル２０４１（例えば、Ａ１、Ｂ１、Ｃ１）内のリソース割当が相補的になっており、セルＡ１とセルＢ１、Ｃ１との間の干渉が緩和され、セルＢ１とセルＡ１、Ｃ１との間の干渉が緩和され、および／または、セルＣ１とセルＡ１、Ｂ１との間の干渉も同様に緩和されるようになる。同じ基地局によって制御またはサービス提供されるセル間のセル干渉のそのような緩和または回避は、スケジューラ構成要素３０８が、それぞれのデータ・フローと、それぞれのデータ・フローに関連付けられたサービス品質（ＱｏＳ）目標を考慮し、同じ基地局によって制御またはサービス提供されるセル間のコンフリクトを回避するようにしてリソースを割り当てることによって有効とされうる。例えば、スケジューラ３０８は、セルＡ１、Ｂ１、Ｃ１におけるそれぞれのデータ・フローのおのおのが、それぞれのサービス品質（ＱｏＳ）目標を満たすことができるように、セルＡ１に対して、データ・フローをブロードキャストするために第１の周波数を利用するように指示し、セルＢ１に対して、データ・フローをブロードキャストするために第２の周波数を適用するように指示し、セルＣ１に対して、データ・フローをブロードキャストするために第３の周波数を用いるように指示する。
【００４６】
さらに、スケジューラ構成要素３０８は、別の隣接または近隣の基地局（例えば、第１の基地局３０２および第２の基地局３０６）によって制御またはサービス提供されるセル間のセル干渉を緩和または回避するリソース割当を有効としうる。この例では、セル間干渉調整構成要素３１０と協調するスケジューラ構成要素３０８が、Ｘ２チャネル３０４によって１または複数の隣接基地局から提供／受信された情報に少なくとも部分的に基づいて干渉回避を容易にする手段を講じる。例えば、スケジューラ構成要素３０８は、スケジューラ構成要素３０８が含まれる基地局（例えば、第１の基地局３０２）によって制御またはサービス提供されるセルに関連付けられたサービス品質（ＱｏＳ）基準および／またはデータ・フローと、および／または、Ｘ２チャネル３０４によって１または複数の隣接する基地局から提供／受信された情報とに少なくとも部分的に基づいて、近隣の基地局（例えば、第２の基地局３０６）によって制御またはサービス提供されるセルとの干渉回避を容易にするリソース割当ストラテジを採用しうる。例えば、スケジューラ構成要素３０８は、第１の基地局３０２によって制御されるセルＣ１に関連付けられたデータ・フローが、第２の基地局３０６によって制御されるセルＡＺに関連付けられたデータ・フローよりも低い優先度であることを確認しうる。セルＣ１に関連付けられたデータ・フローが、セルＡＺにおいてブロードキャストされたものよりも相対的に低い優先度からなるという事実を認識して、スケジューラ構成要素３０８は、セルＡＺがより高い優先度のトラフィックをブロードキャストできるように、セルＣ１におけるリソース割当を変更しうる。前述したことを容易にするためにスケジューラ構成要素３０８によって利用されうる１つの例示的なリソース割当スキームは、セルＣ１における低優先度のフローのブロードキャストが、セルＡＺがより高優先度のトラフィックをブロードキャストする周波数に関して干渉しない周波数で実行されることを保証するためでありうる。第１の基地局３０２によって制御またはサービス提供されるセルＣ１における低優先度フローのブロードキャストが、第２の基地局３０６によってサービス提供または制御されるセルＡＺにおける高優先度のフローと干渉しないことを保証するために、スケジューラ構成要素３０８によって実現されうるさらなる例示的なリソース割当スキームは、スケジューラ構成要素３０８が、第１の電力レベルで低優先度のデータ・フローをブロードキャストするようにセルＣ１に対して指示するためのものである一方、第２の基地局３０６によって制御またはサービス提供されるセルＡＺにおける高優先度のフローは、第２の電力レベルでブロードキャストされる。ここでは、第１の電力レベルと、第２の電力レベルとは、互いに干渉しない。
【００４７】
当業者によって認識されるであろうが、第２の基地局３０６はまた、スケジューラ構成要素３０８に関して説明したように設定され動作することができるスケジューラ構成要素を含みうる。これによって、前述したものとは相反する機能および／または能力を提供しうる。したがって、第２の基地局３０６に含まれるスケジューラ構成要素と、同じく第２の基地局３０６に含まれるセル相互干渉調整構成要素とは連携して、第１の基地局３０２に含まれるスケジューラ構成要素３０８によって実現されるリソース割当スキームと相合うリソース割当スキームを実現しうる。例えば、第１の基地局３０２に含まれるスケジューラ構成要素３０８が、セルＣ１によってブロードキャストされている低優先度のデータ・フローのためのリソース割当を実施する場合、セルＡＺによってブロードキャストされているデータ・フローが相対的に高い優先度を有するという認識のもと、第２の基地局３０６に含まれるスケジューラ構成要素は、セルＡＺに対して、セルＣ１によってブロードキャストされている低優先度のデータ・フローのブロードキャストとの干渉を回避できるように、異なるリソース割当を用いて高優先度のデータ・フローをブロードキャストするように指示する。例えば、第１の基地局３０２に含まれるスケジューラ３０８が、セルＣ１に対して、低優先度のデータ・フローを第２の電力レベルでブロードキャストするように指示するであろうという理解の下（例えば、第１の基地局３０２によって、Ｘ２チャネル３０４を経由して第２の基地局３０６へ通信される）、第２の基地局３０６に関連付けられたスケジューラ構成要素は、セルＡＺに対して、高優先度のデータ・フローを第１の電力レベルでブロードキャストするように指示しうる。当業者によって容易に理解されることが明らかとなるであろうが、高優先度のデータ・フローをブロードキャストするためにセルＡＺによって利用される第１の電力レベルは、第２の基地局３０６に関連付けられたスケジューラ構成要素によって選択され、これによって、選択された第１の電力レベルは、第１の基地局３０２に関連付けられたスケジューラ構成要素３０８によって選択された第２の電力レベルで、セルＣ１による低優先度のデータ・フローのブロードキャストと干渉しない。
【００４８】
当業者によって認識されるであろうが、セル間干渉調整構成要素３１０からのフィードバックまたはフィードフォワードに少なくとも部分的に基づいて、または、連携して、スケジューラ構成要素３０８は、セルにわたる干渉を回避または緩和するために、他のリソース・ブロックまたは電力レベルに優先して、リソース・ブロックまたは電力レベルを選択的に利用しうる。ここでは、セルにわたる干渉は、第１の基地局３０２および第２の基地局３０６のように隣接配置された別の基地局によって制御またはサービス提供される複数のセルが主因である。さらに認識されるであろうが、スケジューラ構成要素３０８は、パターン調整を有効としうる。ここでは、参加している基地局に含まれるおのおののスケジューラ構成要素が、第１の基地局によって制御されているセルであって、近隣にある第２の基地局によって制御またはサービス提供されるセルからの干渉を受けるセルにおける密集した高優先度のデータ・フローをどうやって最良にブロードキャストするかに関し、相互に利益のある合意に対して動的に、かつ時間にわたって引き付けられる。
【００４９】
近隣にある他の基地局によって制御またはサービス提供される他のセルからの干渉をうけるセルにおける密集したデータ・フローのブロードキャストに関し、近隣の基地局間での相互協力があることを保証することによって、効率およびスループットの向上が保証される。
【００５０】
さらに、第１の基地局３０２には、セル間干渉調整構成要素３１０が含まれうる。セル間干渉調整構成要素３１０は、データ・フローが、それぞれのサービス品質（ＱｏＳ）目標を満たすために、第１の基地局３０２によって制御されるさまざまなセルにおけるデータ・フローにサービス提供する際に、スケジューリング構成要素３０８によって利用されるリソース割当ミックスに関し、スケジューリング構成要素３０８によってなされる動作を連続的および／または定期的にモニタしうる。セル間干渉調整構成要素３１０はまた、第１の基地局３０２によって制御またはサービス提供されるセル内のデータ・フローのサービス品質（ＱｏＳ）目標が満たされているかをモニタし、この情報から、これらセルのうちのどれが、サービス品質（ＱｏＳ）目標を満足することができず、密集していると考えられるのかを判定または確認しうる。さらに、セル間干渉調整構成要素３１０はまた、これら密集したセルから、どのデータ・フローが最高優先度を有しているのかを確認しうる。
【００５１】
さらに、セル間干渉調整構成要素３１０はまた、調停する態様を提供する。ここでは、スケジューラ構成要素３０８から受信した入力、あるいはスケジューラ構成要素３０８に対して求めた入力と、複数の近隣の基地局から（例えばＸ２チャネル３０４を介して）獲得または取得された情報が適用され、スケジューラ構成要素３０８に対して、近隣の基地局によって制御またはサービス提供されるセル内のデータ・フローによって経験されるそれぞれの優先度および／または密集を示すインジケーションが与えられる。スケジューラ構成要素３０８は、そのような情報または入力を用いて、スケジューラ構成要素３０８が含まれる基地局によって制御されるセル内のリソース割当を変更する。ここでは、１または複数の近隣の基地局によって制御またはサービス提供されるセルとのコンフリクトがある。例えば、第２の基地局３０６によって制御またはサービス提供されたセルＡＺが、高優先度のデータ・フローのブロードキャストを試みているが、現在は、密集を被っている（例えば、セルＡＺにおけるデータ・フローに対するサービス品質（ＱｏＳ）目標が満たされていない）ことがＸ２チャネル３０４を介して受信された情報から確認され、さらに、低優先度のデータ・フローをブロードキャストしている際に、スケジューラ構成要素３０８によって、第１の基地局３０２によって制御またはサービス提供されるセルＣ１へ提供されている現在のリソース割当が、セルＡＺにおける高優先度のデータ・ブローのブロードキャストと対立すると判定された場合、セル間干渉調整構成要素３１０は、スケジューラ構成要素３０８に対して、セルＣ１のためのリソース割当ミックスを調節するように指示する。これによって、第２の基地局３０６によって制御またはサービス提供されるセルＡＺにおける高優先度のデータ・フローは、関連付けられたサービス品質（ＱｏＳ）目標に、より緊密にしたがうことができるようになる。前述したことが実施される場合、セルＡＺからブロードキャストされている高優先度のデータ・フローと、セルＣ１からブロードキャストされている相対的に低優先度のデータ・フローとの両方が、第１の基地局３０２と第２の基地局３０６それぞれに含まれるスケジューラ構成要素のおのおのによって実施されるリソース割当が、互いに相補的であるという点において利点を見出すことができることが注目されるべきである。例えば、第２の基地局３０６に関連付けられたスケジューラ構成要素は、第１の電力レベルで、セルＡＺにおいて、高優先度のデータ・フローをブロードキャストすることを選択的に選択する一方、第１の基地局３０２に含まれるスケジューラ構成要素３０８は、第１の周波数で、セルＣ１において、低優先度のデータ・フローをブロードキャストすることを選択的に選択しうる。このようにして、第１の基地局３０２と第２の基地局３０６との間の相互連携、および、対応するセル間干渉調整構成要素を使用することによって、セルＡＺおよびセルＣ１におけるデータ・フローによって以前に経験された干渉は、回避されるか、あるいは、少なくとも緩和されうる。
【００５２】
さらに、セル間干渉調整構成要素３１０はまた、ディスパッチする態様を含む。これは、後にＸ２チャネル３０４を介して１または複数の近隣の基地局へディスパッチまたは配信されうるセル間干渉調整インジケータを構築しうる。セル間干渉調整インジケータは、単一のビットから複数のビットにまで及びうる。しかしながら、一般に、セル間干渉調整構成要素３１０によって構築されたセル間干渉調整インジケータに含まれるビット数は、１つの優先度レベルを伝送するのに十分である（例えば、少なくとも１つの３ＧＰＰ優先度レベルで伝送するために必要なビット数である）。しかしながら、権利主張される主題はそのように限定される必要がないことが理解されるだろう。さらに、セル間干渉調整インジケータは、密集したデータ・フローの最高優先度レベルに変化があった場合、あるいは、物理リソース・ブロック・ビット毎のパターンが調節された場合には常に、セル間干渉調整構成要素３１０によって構築されうる。さらに、セル間干渉調整インジケータの構築は、必ずしもサービス品質（ＱｏＳ）の考慮に結び付けられる必要のない他の考慮に少なくとも部分的に基づいてトリガされうる。
【００５３】
当業者によって認識されるであろうが、第２の基地局３０６にもまた同様のスケジューラ構成要素３０８とセル間干渉調整構成要素３１０とが備えられ、第１の基地局３０２に関連して上述されたものと同様に動作しうる。さらに、限定することも一般性を失うこともなく、第１の基地局３０２と第２の基地局３０６との間の近隣関係は、一般には、これら基地局間のＸ２チャネル・フックアップのベンダ特有の実装によって定義されることが注目されるべきである。したがって、例えば、第１の基地局３０２と第２の基地局３０６とは互いに数メートルしか離れておらず、第１の基地局３０２および第２の基地局３０６のおのおのによって制御またはサービス提供されるこれらセル（および、これらセルを通過するデータ・フロー）は、一般に、互いに対立しうる（例えば、第１の基地局３０２および第２の基地局３０６によって制御されるセル間の一定および／または持続的な干渉がある）か、あるいは、第１の基地局３０２と第２の基地局３０６とが何キロメートルも離れていれば、第１の基地局３０２および第２の基地局３０６によって制御またはサービス提供されるセルを通過するデータ・フローは、あるとしても、稀にしか互いに直接的にコンフリクトしなくなる。しかしながら、当業者によって認識されるようになるであろうが、干渉調整および／または干渉回避は一般に、遠くの近隣よりもより近くの近隣に着目されており、遠くの近隣と、より近くのおよび／または干渉している近隣とを区別するために、１または複数のネットワーク尺度が適用されうる。
【００５４】
図４は、第１の基地局３０２のより詳細な図解４００であり、さらに詳しくは、セル間干渉調整構成要素３１０のより詳細な図解を与える。例示するように、セル間干渉構成要素３１０は、モニタ構成要素４０２を含み得る。モニタ構成要素４０２は、第１の基地局３０２によって制御またはサービス提供されるセルに関し、スケジューラ構成要素３０８によってなされたリソース割当や、第１の基地局３０２に関連付けられたセルを通過するデータ・フローに関し、サービス品質（ＱｏＳ）目標が満足されているか否かを判定または確認するために、スケジューラ構成要素３０８のスケジューリング動作を連続的および／または定期的にモニタしうる。この情報から、モニタ構成要素４０２は、第１の基地局３０２によって制御またはサービス提供されているセルを通過しているデータ・フローが、それぞれのサービス品質（ＱｏＳ）目標を満足しているか否かを確認しうる。１または複数のセルを通過している１または複数のデータ・フローが、サービス品質（ＱｏＳ）目標を満足していないとモニタ構成要素４０２が確定した場合、モニタ構成要素４０２は、この発見を、これらセル内のデータ・フローが現在密集していることを示すインジケーションとして考慮する。さらに、モニタ構成要素４０２はまた、これら密集したセルのおのおのから、そのように密集している密集セル内の最高優先度のデータ・フローをも確認しうる。
【００５５】
セル間干渉調整構成要素３１０はまた、調停構成要素４０４をも含み得る。調停構成要素４０４は、モニタ構成要素４０２やスケジューラ構成要素３０８から提供された、あるいは、モニタ構成要素４０２やスケジューラ構成要素３０８に対して要求した情報、および／または、１または複数の近隣の基地局（例えば、第２の基地局３０６）から、Ｘ２チャネル３０４を介して獲得または取得された情報を利用して、１または複数の近隣の基地局に関連付けられたセル内のデータ・フローによって経験されている密集および／またはそれぞれの優先度のフィードバックまたはフォードフォワードをスケジューラ構成要素３０８へ提供する。調停構成要素４０４によってスケジューラ構成要素３０８へと提供された情報は、スケジューラ構成要素３０８によって利用され、基地局（例えば、第１の基地局３０２）によって制御またはサービス提供されているセル内のリソース割当が変更される。ここでは、スケジューラ構成要素３０８は、コンフリクトしているセル（例えば、第１の基地局３０２および第２の基地局３０６によって制御またはサービス提供されるセル）間の干渉が、互いにより相補的になるように配置される。例えば、調停構成要素４０４から受信した情報に少なくとも部分的に基づいて、スケジューラ構成要素３０８は、第１の基地局３０２によって制御またはサービス提供されたセルとコンフリクトしているセルを制御している別の近隣基地局に関連付けられたスケジューラ構成要素によって有効にされたリソース割当とコンフリクトしないリソース割当を有効としうる。
【００５６】
それに加えて、セル間干渉調整構成要素３１０はまた、Ｘ２チャネル３０４を介して近隣の基地局へ送信されうるセル間干渉調整インジケータをアセンブルするディスパッチ構成要素４０６をも含む。ディスパッチ構成要素４０６は、セル間干渉調整インジケータを、少なくとも１つの優先度レベル（例えば、第１の基地局３０２によって制御またはサービス提供される特定のセルにおいて密集を被っている最高優先度のデータ・フローの優先度レベル）を示すのに十分な連続ビットとしてアセンブルまたは構築しうる。ディスパッチ構成要素４０６は、例えば、密集しているデータ・フローの最高優先度レベルに変化がある場合、あるいは、物理ブロック毎のビット・パターンが調節された場合、セル間干渉調整インジケータのアセンブルおよびディスパッチを行う。さらに、ディスパッチ構成要素４０６はまた、サービス品質（ＱｏＳ）基準に関連する考慮以外の考慮に基づいて、セル間干渉調整インジケータの構築および配信をも行いうる。ディスパッチ構成要素４０６は、セル間干渉調整インジケータを構築すると、セル間干渉調整インジケータを、Ｘ２チャネルを介して近隣の基地局へと送信しうる。ここでは、セル間干渉調整インジケータが、近隣の基地局に含まれているか、あるいは関連付けられているセル間干渉調整構成要素および／または同様に構成されたスケジューラ構成要素によって利用されうる。
【００５７】
図５乃至図７に示すように、無線通信環境において、複数の基地局にわたるサービス品質（ＱｏＳ）区別および／または優先度付けを有効にすることに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００５８】
図５に関して、権利主張される主題にしたがって、複数の基地局にわたるサービス品質（ＱｏＳ）区別および／または優先度付けを有効にする方法５００が例示される。方法５００は、５０２において開始される。ここでは、基地局によって制御される１または複数のセルに対する現在のリソース割当が取得される。ここで、リソース割当は、基地局によって制御される１または複数のセルを通過しているデータ・フローに関連付けられたサービス品質（ＱｏＳ）メトリックに少なくとも部分的に基づいてなされうる。５０４において、方法５００は、現在および／または将来のサービス品質（ＱｏＳ）要件／目標が、現在のリソース割当によって満足されているかを確認しうる。５０４において、１または複数のセルを通過するデータ・フローのサービス品質（ＱｏＳ）要件／目標が、満足されていると観察された場合、これらデータ・フローが密集状態であることが示され、さらに、最高優先度のデータ・フローが識別されるように順序付けがなされうる。５０６では、現在および将来のサービス品質（ＱｏＳ）目標／要件、リソース割当、および／または、密集下で識別された最高優先度のデータ・フローが、セル間干渉調整インジケータ内のビットまたは連続ビットとして、近隣の基地局へ（例えば、Ｘ２チャネルを介して）ディスパッチされうる。
【００５９】
図６は、権利主張される主題の態様にしたがって、複数の基地局にわたるサービス品質（ＱｏＳ）区別および／または優先度付けを容易および／または有効にするさらなる方法６００を例示する。方法６００は６０２において開始される。ここでは、近隣の基地局によって制御された特定のセルにおいて密集状態にあると識別された最高優先度のデータ・フローに関連する複数のサービス品質（ＱｏＳ）メトリック、リソース割当、およびその他の適切な情報が受信されうる。６０４では、受信している基地局によって制御またはサービス提供される１または複数のセルに対するリソース割当ミックスを調節するために、６０２で受信された情報が利用される（例えば、スケジューリング態様／構成要素に対して指示される）。特に、近隣の基地局によって制御されているか、あるいは、関連付けられているセル内で密集している最高優先度のデータ・フローが、サービス品質（ＱｏＳ）目標を満足できるように、リソース割当ミックスが調節されうる。６０６では、現在のリソース割当ミックス、サービス品質（ＱｏＳ）メトリック、および／または、受信している基地局によって制御またはサービス提供されている１または複数のセルにおいて密集していると識別された最高優先度のデータ・フローが、セル間干渉調整インジケータにおいて、ビットまたは連続ビットとして近隣の基地局へ配信されうる。
【００６０】
図７は、権利主張される主題の態様にしたがって、複数の基地局にわたるサービス品質（ＱｏＳ）区別および／または優先度付けを有効にする別の方法７００を例示する。方法７００は、７０２において開始される。ここでは、近隣の基地局によって制御またはサービス提供される特定のセルにおいて密集状態にある識別された最高優先度のフローに関するサービス品質（ＱｏＳ）メトリック、リソース割当、および情報が受信されうる。限定することも、一般性を失うこともなく、７０２で受信した情報は、（例えば、密集状態にある少なくとも最高優先度のデータ・フローを伝送するのに十分なビットまたは連続ビットとして）セル間干渉調整インジケータによって受信されうることが注目されるべきである。７０４では、受信している基地局によって制御またはサービス提供される１または複数のセルにおける特定のデータ・フローのためのサービス品質（ＱｏＳ）目標をさらに満足する際になされるサービス品質（ＱｏＳ）メトリックおよびリソース割当が、スケジューラから取得されうる。７０６では、近隣の基地局によって制御またはサービス提供される特定のセルにおいて密集状態にある識別された最高優先度のフローに関連するサービス品質（ＱｏＳ）メトリック、リソース割当、および、情報のみならず、受信している基地局によって制御またはサービス提供されるセルにおいて密集状態にあると識別された最高優先度のフローに関連するリソース割当、サービス品質（ＱｏＳ）メトリック、および情報が、受信している基地局に関連付けられたスケジューラに対して、現在のリソース割当ミックスを調節するように指示するために利用されうる。これによって、受信している基地局によって制御またはサービス提供されるセルにおいて密集状態にあると識別された最高優先度のデータ・フローであるか、または、近隣の基地局のうちの１または複数によって制御またはサービス提供されるセルにおいて密集状態にあると識別された最高優先度のデータ・フローのうちの少なくとも１つが、サービス品質目標を満足することができるようになる。７０８では、受信している基地局に関連付けられたスケジューラによって有効とされた再調節されたリソース割当ミックス、受信している基地局によって制御されたセル内において現在、密集状態にあると識別された最高優先度のデータ・フロー、および／または、受信している基地局によって制御またはサービス提供されるセルを通過するさまざまなデータ・フローに関連付けられたサービス品質（ＱｏＳ）メトリックが、Ｘ２チャネル／インタフェース・カップレットを介して、セル間干渉調整インジケータ（例えば、方法７００が実行している受信している基地局において密集状態にある最高優先度のデータ・フローを近隣の基地局に少なくとも伝送するビットまたは連続ビット）として、近隣の基地局へ配信されうる。
【００６１】
本明細書に記載された１または複数の態様にしたがって、ローカルな基地局および／または隣接または近隣の遠隔基地局によって制御されるセルにわたって移動している密集したデータ・フローの観点から、適切なリソース割当ミックスを選択することに関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００６２】
図８は、回路交換された音声を、パケット交換ネットワークで送信することを容易にするシステム８００の例示である。システム８００は、複数の受信アンテナ８０４によって１または複数の端末８０２から信号を受信する受信機８０８と、送信アンテナ８０６によって１または複数のアクセス端末８０２へ信号を送信する送信機８２０とを有する基地局３０２（例えば、アクセス・ポイント）を備える。受信機８０８は、受信アンテナ８０４から情報を受信する。さらに、受信した情報を復調する復調器８１０と動作可能に関連付けられている。復調されたシンボルは、受信機８０８によって受信された情報を分析すること、および／または、送信機８２０による送信のための情報を生成することに特化されたプロセッサ８１２であるか、基地局３０２の１または複数の構成要素を制御するプロセッサである。このようなプロセッサは、アクセス端末８０２（または（図示しない）他の基地局）へ送信されるデータ、アクセス端末８０２（または（図示しない）他の基地局）から受信したデータ、および／または、本明細書に記載されたさまざまな動作および機能を実行することに関連するその他任意の適切な情報を格納するメモリ８１４に接続される。プロセッサ８１２はさらに、パケット交換ネットワークによるセル間干渉調整インジケータの送信を容易にするセル間干渉調整構成要素８１６に接続される。さらに、セル間干渉調整構成要素８１６は、送信されるべき情報を、変調器８１８へ提供しうる。変調器８１８は、送信機８２０によるアンテナ８０６を介したアクセス端末８０２への送信のためのフレームを多重化しうる。プロセッサ８１２と別に図示されているが、セル間干渉調整構成要素８１６および／または変調器８１８は、プロセッサ８１２または多くのプロセッサ（図示せず）の一部でありうることが認識されるべきである。
【００６３】
図９は、無線通信システム９００の例を示す。無線通信システム９００は、簡潔さの目的のため、１つの基地局９１０と１つのアクセス端末９５０しか示していない。しかしながら、システム９００は、１より多い基地局、および／または、１より多いアクセス端末を含みうることが認識されるべきである。ここで、追加の基地局および／またはアクセス端末は、以下に示す基地局９１０およびアクセス端末９５０の例と実質的に類似しうるか、あるいは、異なりうる。さらに、基地局９１０および／またはアクセス端末９５０は、その間の無線通信を容易にするために、本明細書に記載されたシステム（図１乃至図４）および／または方法（図５乃至図７）を適用しうる。
【００６４】
基地局９１０では、多くのデータ・ストリームのためのトラフィック・データが、データ・ソース９１２から送信（ＴＸ）データ・プロセッサ９１４へ提供される。一例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００６５】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６６】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６７】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６８】
アクセス端末９５０では、送信された変調信号が、ＮＲ個のアンテナ９５２ａ乃至９５２ｒによって受信され、おのおののアンテナ９５２から受信された信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６９】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００７０】
プロセッサ９７０は、上述したように、利用可能などの技術を利用するのかを定期的に決定する。さらに、プロセッサ９７０は、行列インデクス部およびランク値部を備えた逆方向リンク・メッセージを規定することができる。
【００７１】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００７２】
基地局９１０では、アクセス端末９５０からの変調信号が、アンテナ９２４によって受信され、受信機９２２によって調整され、復調器９４０によって復調され、ＲＸデータ・プロセッサ９４２によって処理されて、アクセス端末９５０によって送信された逆方向リンク・メッセージが抽出される。さらに、プロセッサ９３０は、ビームフォーミング重みを決定するためにどの事前符合化行列を使用するかを決定するために、この抽出されたメッセージを処理する。
【００７３】
プロセッサ９３０およびプロセッサ９７０は、基地局９１０およびアクセス端末９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００７４】
態様では、論理チャネルが、制御チャネルとトラフィック・チャネルとに分類される。論理制御チャネルは、システム制御情報をブロードキャキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００７５】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００７６】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００７７】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００７８】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００７９】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８０】
図１０を参照して、無線通信環境において、複数の基地局にわたるサービス品質（ＱｏＳ）区別および／または優先度付けを有効にするシステム１０００が例示される。例えば、システム１０００は、基地局内に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、関連するセルを通過するデータ・フローに関連付けられたサービス品質（ＱｏＳ）メトリックに少なくとも部分的に基づく現在のスケジューリング・リソース割当を取得または要求するための電子構成要素１００４を含みうる。さらに、論理グループ１００２は、関連するセル内の現在および／または将来のサービス品質（ＱｏＳ）目標が満足されているか、すなわち、満たされているかを確認するための電子構成要素１００６を含みうる。さらに、論理グループ１００２は、現在および将来の品質サービス（ＱｏＳ）要件、リソース割当、および密集下にあると識別された最高優先度のデータ・フローを、セル間干渉調整インジケータを介して近隣の基地局へディスパッチするための電子構成要素１００６を備えうる。例えば、制御チャネル（例えば、物理ダウンリンク制御チャネル（ＰＤＣＣＨ）、Ｘ２チャネル）によってインジケーションが転送されうる。さらに、システム１０００は、電子構成要素１００４、１００６、１００８に関連付けられた機能を実行するための命令群を保持するメモリ１０１０を含みうる。メモリ１０１０の外側にあると示されているが、電子構成要素１００４、１００６、１００８のうちの１または複数は、メモリ１０１０内に存在しうることが理解されるべきである。
【００８１】
図１１を参照して、無線通信環境において、複数の基地局を介してサービス品質（ＱｏＳ）区別および／または優先度を有効にするシステム１１００が例示される。例えば、システム１１００は、基地局内に少なくとも部分的に存在しうる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、近隣の基地局によって制御されたセル内において、密集状態にあると識別された最高優先度のデータ・フローに関連付けられたＱｏＳメトリック、リソース割当、および／または情報を受信するための電子構成要素１１０４を含みうる。さらに、論理グループ１１０２は、ローカルまたは受信している基地局によって制御される１または複数のセルへのリソース割当を調節するための電子構成要素１１０６を含みうる。さらに、論理グループ１１０２は、現在のリソース割当ミックス、サービス品質（ＱｏＳ）メトリック、および／または、受信しているまたはローカルな基地局内の、密集していると識別された最高優先度のデータ・フローを配信する電子構成要素１１０８を備えうる。例えば、制御チャネル（例えば、物理ダウンリンク制御チャネル（ＰＤＣＣＨ）、Ｘ２チャネル）によってインジケーションが転送されうる。さらに、システム１１００は、電子構成要素１１０４、１１０６、１１０８に関連付けられた機能を実行するための命令群を保持するメモリ１１１０を含みうる。メモリ１１１０の外側にあると示されているが、電子構成要素１１０４、１１０６、１１０８の１または複数は、メモリ１１１０内に存在しうることが理解されるべきである。
【００８２】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に本願発明の当初の特許請求の範囲に記載された発明を付記する。
［Ｃ１］
無線通信システムにおいて動作可能な装置であって、
第１の基地局によって制御される１または複数のセルのための現在のリソース割当を取得し、前記現在のリソース割当が、前記第１の基地局によって制御される１または複数のセルのうちの少なくとも１つを通過するデータ・フローに関連付けられたサービス品質目標を満足しているかを確認し、セル間干渉調整インジケータを第２の基地局へディスパッチするように構成されたプロセッサと、
前記プロセッサに接続され、データを保持するためのメモリと
を備える装置。
［Ｃ２］
前記第１の基地局によって制御される１または複数のセルの現在のリソース割当が、前記１または複数のセルのうちの少なくとも１つを通過するデータ・フローに関連付けられたサービス品質目標に少なくとも部分的に基づくＣ１に記載の装置。
［Ｃ３］
前記プロセッサはさらに、前記１または複数のセルのうちの少なくとも１つに関連付けられた最高優先度のデータ・フローに関連付けられた密集状態が変化した場合、前記セル間干渉調整インジケータを第２の基地局へディスパッチするように構成されたＣ１に記載の装置。
［Ｃ４］
前記プロセッサはさらに、前記１または複数のセルのうちの少なくとも１つに関連付けられた物理リソース・ブロック割当が変化した場合、前記セル間干渉調整インジケータを前記第２の基地局へディスパッチするように構成されたＣ１に記載の装置。
［Ｃ５］
前記プロセッサはさらに、前記第２の基地局によってサービス提供されるセルとの干渉を回避するために、前記第２の基地局から受信したセル間干渉調整インジケータを利用して、前記第１の基地局によって制御されるセルへの現在のリソース割当を変更するように構成されたＣ１に記載の装置。
［Ｃ６］
前記第２の基地局から受信したセル間干渉調整インジケータが、前記第１の基地局によって制御されるセル、または、前記第２の基地局によってサービス提供さえるセルのうちの少なくとも１つによって経験されるデータ・フロー密集を緩和するために利用されるＣ５に記載の装置。
［Ｃ７］
前記第２の基地局から受信したセル間干渉調整インジケータは、第１の周波数でブロードキャストすることによって、前記第１の基地局によって制御されるセルへの現在のリソース割当を調節するために適用され、ここで、前記第２の基地局によってサービス提供されるセルは、第２の周波数でブロードキャストし、前記第１の周波数と前記第２の周波数とは干渉しないＣ５に記載の装置。
［Ｃ８］
前記第２の基地局から受信したセル間干渉調整インジケータは、第１の電力レベルを利用することによって、前記第１の基地局によって制御されるセルへの現在のリソース割当を調節するために適用され、前記第２の基地局によってサービス提供されるセルは、第２の電力レベルを適用し、前記第１の電力レベルと前記第２の電力レベルとは異なるＣ５に記載の装置。
［Ｃ９］
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために適用され、少なくとも前記識別された最高優先度のデータ・フローに基づいて、最高電力レベルでブロードキャストするための最高優先度のデータ・フローを含む、前記セルへの現在のリソース割当を調節するか、または、低電力レベルでブロードキャストするための低優先度のデータ・フローを含む、前記セルへの現在のリソース割当を調節するＣ５に記載の装置。
［Ｃ１０］
前記第２の基地局から受信したセル間干渉調整インジケータは、前記第１の基地局によって制御されるセル、または、前記第２の基地局によって制御されるセルのうちの少なくとも１つを通過する最高優先度のデータ・フローを識別するために利用され、少なくとも前記識別された最高優先度のデータ・フローに基づいて、第１の周波数かつ最高電力レベルでブロードキャストするための最高優先度のデータ・フローを含む、前記セルへの現在のリソース割当を調節するか、または、前記第１の周波数かつ低電力レベルでブロードキャストするための低優先度のデータ・フローを含む、前記セルへの現在のリソース割当を調節するＣ５に記載の装置。
［Ｃ１１］
前記セル間干渉調整インジータは、前記第１の基地局を前記第２の基地局と接続するＸ２チャネルによって前記第２の基地局へ伝送されるＣ１に記載の装置。
［Ｃ１２］
前記第１の基地局を前記第２の基地局と接続するＸ２チャネルは、前記第１の基地局と前記第２の基地局との間の近隣関係を定義するＣ１１に記載の装置。
［Ｃ１３］
前記プロセッサはさらに、前記セル間干渉調整インジケータを構築するように構成され、前記セル間干渉調整インジケータは、前記第１の基地局によって制御される１または複数のセルのうちの少なくとも１つにおいて、密集状態にあるデータ・フローに関連付けられた少なくとも１つの優先度レベルを伝送するための十分なビットを含むＣ１に記載の装置。
［Ｃ１４］
無線通信システムにおいて利用される方法であって、
第１の基地局によって制御される１または複数のセルから現在のリソース割当を要求することと、
前記現在のリソース割当が、前記第１の基地局によって制御される１または複数のセルのうちの少なくとも１つを通過するデータ・フローに関連付けられたサービス品質目標を満足しているかを確認することと、
セル間干渉調整インジケータを第２の基地局へ配信することと
を備える方法。
［Ｃ１５］
前記第１の基地局によって制御される１または複数のセルの現在のリソース割当が、前記１または複数のセルのうちの少なくとも１つを通過するデータ・フローに関連付けられたサービス品質目標に少なくとも部分的に基づくＣ１４に記載の方法。
［Ｃ１６］
前記１または複数のセルのうちの少なくとも１つに関連付けられた最高優先度のデータ・フローに関連付けられた密集状態が変化した場合、前記セル間干渉調整インジケータを第２の基地局へ配信することをさらに備えるＣ１４に記載の方法。
［Ｃ１７］
前記１または複数のセルのうちの少なくとも１つに関連付けられた物理リソース・ブロック割当が変化した場合、前記セル間干渉調整インジケータを前記第２の基地局へ送信することをさらに備えるＣ１４に記載の方法。
［Ｃ１８］
前記第２の基地局によってサービス提供されるセルとの干渉を回避するために、前記第２の基地局から受信したセル間干渉調整インジケータを利用して、前記第１の基地局によって制御されるセルへの現在のリソース割当を変更することをさらに備えるＣ１４に記載の方法。
［Ｃ１９］
前記セル間干渉調整インジケータを第２の基地局へ配信することは、前記第１の基地局を前記第２の基地局と接続するＸ２チャネルを利用することを含むＣ１４に記載の方法。
［Ｃ２０］
前記セル間干渉調整インジケータを構築することをさらに備え、
前記セル間干渉調整インジケータは、前記第１の基地局によって制御される１または複数のセルのうちの少なくとも１つにおいて、密集状態にあるデータ・フローに関連付けられた少なくとも１つの優先度レベルを伝送するための十分なビットを含むＣ１４に記載の方法。
［Ｃ２１］
無線通信システムにおいて動作可能な装置であって、
第１の基地局によって制御される１または複数のセルのためのリソース割当を要求することと、前記リソース割当が、前記第１の基地局によって制御される１または複数のセルのうちの少なくとも１つを通過するデータ・フローに関連付けられたサービス品質目標を満足しているかを確認することと、セル間干渉調整インジケータを第２の基地局へディスパッチすることと、に関連する命令群を保持するメモリと、
前記メモリに接続され、前記メモリに保持された命令群を実行するように構成されたプロセッサと
を備える装置。
［Ｃ２２］
前記第１の基地局によって制御される１または複数のセルのリソース割当が、前記１または複数のセルのうちの少なくとも１つを通過するデータ・フローに関連付けられたサービス品質目標に少なくとも部分的に基づくＣ２１に記載の装置。
［Ｃ２３］
前記メモリはさらに、前記１または複数のセルのうちの少なくとも１つに関連付けられた最高優先度のデータ・フローに関連付けられた密集状態が変化した場合、前記セル間干渉調整インジケータを第２の基地局へ配信することに関連する命令群を保持するＣ２１に記載の装置。
［Ｃ２４］
前記メモリはさらに、前記１または複数のセルのうちの少なくとも１つに関連付けられた物理リソース・ブロック割当が変化した場合、前記セル間干渉調整インジケータを前記第２の基地局へ送信することに関連する命令群を保持するＣ２１に記載の装置。
［Ｃ２５］
前記メモリはさらに、前記第２の基地局によってサービス提供されるセルとの干渉を回避するために、前記第２の基地局から受信したセル間干渉調整インジケータを利用して、前記第１の基地局によって制御されるセルへの現在のリソース割当を変更することに関連する命令群を保持するＣ２１に記載の装置。
［Ｃ２６］
前記セル間干渉調整インジケータを第２の基地局へディスパッチすることは、前記第１の基地局を前記第２の基地局と接続するＸ２チャネルを利用するＣ２１に記載の装置。
［Ｃ２７］
前記メモリはさらに、前記セル間干渉調整インジケータをアセンブルすることに関連する命令群を保持し、前記セル間干渉調整インジケータは、前記第１の基地局によって制御される１または複数のセルのうちの少なくとも１つにおいて、密集状態にあるデータ・フローに関連付けられた少なくとも１つの優先度レベルを伝送するための十分なビットを含むＣ２１に記載の装置。
［Ｃ２８］
無線通信システムにおいて動作可能な装置であって、
第１の基地局によって制御される１または複数のセルのための現在のリソース割当を取得する手段と、
前記現在のリソース割当が、前記第１の基地局によって制御される１または複数のセルのうちの少なくとも１つを通過するデータ・フローに関連付けられたサービス品質目標を満足しているかを確認する手段と、
セル間干渉調整インジケータを第２の基地局へディスパッチする手段と
を備える装置。
［Ｃ２９］
前記ディスパッチする手段は、前記１または複数のセルのうちの少なくとも１つに関連付けられた最高優先度のデータ・フローに関連付けられた密集状態が変化した場合、前記セル間干渉調整インジケータを第２の基地局へ伝送するＣ２８に記載の装置。
［Ｃ３０］
前記ディスパッチする手段は、前記１または複数のセルのうちの少なくとも１つに関連付けられた物理リソース・ブロック割当が変化した場合、前記セル間干渉調整インジケータを前記第２の基地局へ通信するＣ２８に記載の装置。
［Ｃ３１］
前記ディスパッチする手段は、前記セル間干渉調整インジケータを前記第２の基地局へ送るために、前記第１の基地局を前記第２の基地局へ接続するＸ２チャネルを利用するＣ２８に記載の装置。
［Ｃ３２］
コンピュータ読取可能媒体を備えるコンピュータ・プログラム製品であって、
前記コンピュータ読取可能媒体は、
第１の基地局によって制御される１または複数のセルのための現在のリソース割当を取得するためのコードと、
前記現在のリソース割当が、前記第１の基地局によって制御される１または複数のセルのうちの少なくとも１つを通過するデータ・フローに関連付けられたサービス品質目標を満足しているかを確認するためのコードと、
セル間干渉調整インジケータを第２の基地局へ通信するためのコードと
を備えるコンピュータ・プログラム製品。
［Ｃ３３］
前記通信するためのコードはさらに、前記１または複数のセルのうちの少なくとも１つに関連付けられた最高優先度のデータ・フローに関連付けられた密集状態が変化した場合、前記セル間干渉調整インジケータを第２の基地局へ伝送するためのコードを備えるＣ３２に記載のコンピュータ・プログラム製品。
［Ｃ３４］
前記通信するためのコードはさらに、前記１または複数のセルのうちの少なくとも１つに関連付けられた物理リソース・ブロック割当が変化した場合、前記セル間干渉調整インジケータを前記第２の基地局へ送信するためのコードを備えるＣ３２に記載のコンピュータ・プログラム製品。
［Ｃ３５］
前記通信するためのコードはさらに、前記セル間干渉調整インジケータを前記第２の基地局へ送るために、前記第１の基地局を前記第２の基地局へ接続するＸ２チャネルを利用するためのコードを備えるＣ３２に記載のコンピュータ・プログラム製品。
【図１】
0005738907.tif 000002
【図２】
0005738907.tif 000003
【図３】
0005738907.tif 000004
【図４】
0005738907.tif 000005
【図５】
0005738907.tif 000006
【図６】
0005738907.tif 000007
【図７】
0005738907.tif 000008
【図８】
0005738907.tif 000009
【図９】
0005738907.tif 000010
【図１０】
0005738907.tif 000011
【図１１】
0005738907.tif 000012